(57)【要約】【課題】消費電力が少なく、かつ製造面で有利な、ＬＥＤを用いた照明装置を提供する。【解決手段】照明装置は、複数のチャンネルのそれぞれに接続され、それぞれのチャンネルによって発光が制御される複数のＬＥＤと、複数のチャンネルのそれぞれに接続されたＬＥＤが順次点灯するように、複数のＬＥＤの点灯のオンオフを制御する制御回路とを備える。複数のチャンネルのそれぞれに接続されたＬＥＤの点灯が一巡する時間Ｔをチャンネルの数Ｎで割った時間は、１つのＬＥＤが点灯する時間よりも長い。複数の基板は、制御回路を備え、基板の端部までチャンネルのパターンが形成された第１の基板と、基板の端部から端部までチャンネルのパターンが形成され、そのチャンネルによって発光が制御されるＬＥＤを備えた第２の基板とを含む。接続する基板の数を変えることにより、発光させるＬＥＤの数を変えることができる。【選択図】図２
2011054432.tif 000002
【特許請求の範囲】
【請求項１】
複数の基板を接続することにより構成される照明装置であって、
複数のチャンネルのそれぞれに接続され、それぞれのチャンネルによって発光が制御される複数のＬＥＤと、
前記複数のチャンネルのそれぞれに接続されたＬＥＤが順次点灯するように、前記複数のＬＥＤの点灯のオンオフを制御し、かつ異なるチャンネルに接続されたＬＥＤが同時に点灯しないように制御を行う制御回路とを備え、
前記複数のチャンネルのそれぞれに接続されたＬＥＤの点灯が一巡する時間Ｔを前記チャンネルの数Ｎで割った時間は、１つのＬＥＤが点灯する時間と同じかまたはそれよりも長く、
前記複数の基板は、
前記制御回路を備え、基板の端部までチャンネルのパターンが形成された第１の基板と、
基板の端部から端部までチャンネルのパターンが形成され、そのチャンネルによって発光が制御されるＬＥＤを備えた第２の基板とを含み、
前記接続する基板の数を変えることにより、発光させるＬＥＤの数を変えることができる、照明装置。
【請求項２】
前記第１の基板は、前記第１の基板に形成されたチャンネルのパターンに接続されることによって発光が制御されるＬＥＤを備える、請求項１に記載の照明装置。
【請求項３】
前記第１の基板には、前記制御回路から基板の長手方向である双方向に向かうチャンネルのパターンが形成されており、
前記第２の基板には、その長手方向の端部から端部に向かうチャンネルのパターンが形成されており、
前記第１の基板および前記第２の基板の長手方向同士を連結することにより、前記第１の基板の制御回路を用いて前記第２の基板のＬＥＤの発光が制御される、請求項１または２に記載の照明装置。
【請求項４】
前記第１の基板と前記第２の基板とが接続された状態で、前記第２の基板にさらに第２の基板を接続することが可能である、請求項１から３のいずれかに記載の照明装置。
【請求項５】
蛍光管型の照明機器と同様の形状を有する、請求項１から４のいずれかに記載の照明装置。
【発明の詳細な説明】
【技術分野】
【０００１】
この発明は照明装置に関し、特に複数のＬＥＤ（Ｌｉｇｈｔ  Ｅｍｉｔｔｉｎｇ  Ｄｉｏｄｅ）をチャンネルによって点灯させる照明装置に関する。
【背景技術】
【０００２】
オフィス、工場、公共施設、病院、学校などで蛍光管型の照明装置が用いられている。このような照明装置の取付構造をそのまま残した状態で、蛍光管型の照明装置に代えて用いることができるＬＥＤ照明装置が開発されている。
【０００３】
このようなＬＥＤ照明装置を採用することにより、照度を保ちながら消費電力を削減することができる。
【０００４】
たとえば下記特許文献１は、光源である複数のＬＥＤを備えた照明装置を開示している。複数のＬＥＤは、２つの光源グループに分割されている。両グループはそれぞれ、ＬＥＤが直列接続されて構成された光源グループである。
【０００５】
これらの光源グループは各々、位相が相違し、かつ、有効時間が一部重複するパルス信号によって駆動される。パルス駆動によって各発光素子の消費電力が低減される。一方、位相を相違させることにより、パルス駆動に基づく表示のチラツキを最小限に抑えることができる。これにより、低消費電力であり、輝度むらを改善することができる照明装置が提供される。
【先行技術文献】
【特許文献】
【０００６】
【特許文献１】特開２００１−７６５２５号公報
【発明の概要】
【発明が解決しようとする課題】
【０００７】
本発明は、消費電力が少なく、かつ製造面で有利な、ＬＥＤを用いた照明装置を提供することを目的としている。
【課題を解決するための手段】
【０００８】
上記目的を達成するためにこの発明のある局面に従うと、複数の基板を接続することにより構成される照明装置は、複数のチャンネルのそれぞれに接続され、それぞれのチャンネルによって発光が制御される複数のＬＥＤと、前記複数のチャンネルのそれぞれに接続されたＬＥＤが順次点灯するように、前記複数のＬＥＤの点灯のオンオフを制御し、かつ異なるチャンネルに接続されたＬＥＤが同時に点灯しないように制御を行う制御回路を備え、前記複数のチャンネルのそれぞれに接続されたＬＥＤの点灯が一巡する時間Ｔを前記チャンネルの数Ｎで割った時間は、１つのＬＥＤが点灯する時間と同じかまたはそれよりも長く、前記複数の基板は、前記制御回路を備え、基板の端部までチャンネルのパターンが形成された第１の基板と、基板の端部から端部までチャンネルのパターンが形成され、そのチャンネルによって発光が制御されるＬＥＤを備えた第２の基板とを含み、前記接続する基板の数を変えることにより、発光させるＬＥＤの数を変えることができる。
【０００９】
好ましくは前記第１の基板は、前記第１の基板に形成されたチャンネルのパターンに接続されることによって発光が制御されるＬＥＤを備える。
【００１０】
好ましくは前記第１の基板には、前記制御回路から基板の長手方向である双方向に向かうチャンネルのパターンが形成されており、前記第２の基板には、その長手方向の端部から端部に向かうチャンネルのパターンが形成されており、前記第１の基板および前記第２の基板の長手方向同士を連結することにより、前記第１の基板の制御回路を用いて前記第２の基板のＬＥＤの発光が制御される。
【００１１】
好ましくは照明装置は、前記第１の基板と前記第２の基板とが接続された状態で、前記第２の基板にさらに第２の基板を接続することが可能である。
【００１２】
好ましくは照明装置は、蛍光管型の照明機器と同様の形状を有する。
【発明の効果】
【００１３】
これらの発明に従うと、消費電力が少なく、かつ製造面で有利な、ＬＥＤを用いた照明装置を提供することが可能となる。
【図面の簡単な説明】
【００１４】
【図１】本発明の実施の形態の１つにおける照明装置の製造過程における基板の平面図である。
【図２】図１の基板を接続することによって製造される、異なるＬＥＤ数、かつ異なる明度の照明装置を示す図である。
【図３】図１の“Ｘ”部分の基板のパターンを示す図である。
【図４】図３のパターンにおける、基板“ＣＤ”と基板“ＡＢ”の部品配置を示す図である。
【図５】基板と基板とを接続するコネクタの構成を示す図である。
【図６】図２の（３）の照明装置の回路図である。
【図７】図６の回路における初期化制御処理を示すフローチャートである。
【図８】図６の回路における点灯制御処理を示すフローチャートである。
【図９】図６の回路のＬＥＤの点灯制御を示すタイミングチャートである。
【発明を実施するための形態】
【００１５】
図１は、本発明の実施の形態の１つにおける照明装置の製造過程における基板の平面図である。
【００１６】
図を参照して、上から順に基板“ＣＤ”、基板“ＡＢ”、基板“ＥＦ”、および基板“ＧＨ”の４つの細長い形状をした基板が、１つのユニットとして製造される。すなわち４つの基板を同時に製造することができる。これら基板のそれぞれは、左右の２つのチャンネルを駆動するためのパターンを有している。１つのチャンネルには、３つのＬＥＤが接続される。各チャンネルのＬＥＤは、それが接続されたチャンネルによって発光が制御される。
【００１７】
照明装置は、これら複数の基板を接続することにより構成される。基板“ＣＤ”は、複数のチャンネルのそれぞれに接続されたＬＥＤが順次点灯するように、複数のＬＥＤの点灯のオンオフを制御し、かつ異なるチャンネルに接続されたＬＥＤが同時に点灯しないように制御を行う制御回路を備える。
【００１８】
複数のチャンネルのそれぞれに接続されたＬＥＤの点灯が一巡する時間Ｔを、チャンネルの数Ｎで割った時間は、１つのＬＥＤが点灯する時間よりも長い。これにより、照明装置に供給すべき電力をＬａとし、各チャンネルの消費電力をＬｎとすると、Ｌａ＞Ｌｎの関係が成立する。
【００１９】
基板“ＣＤ”は、制御回路（ここでは、ＣＰＵなどの制御ＩＣ）を備えており、制御回路から基板の長手方向の左右端部まで、チャンネルのパターンが形成されている。
【００２０】
基板“ＡＢ”、基板“ＥＦ”、および“ＧＨ”のそれぞれは、基板の長手方向の端部から端部までチャンネルのパターンが形成されている。
【００２１】
各ＬＥＤは、チャンネルに流れる信号によって発光が制御される。照明装置は、接続する基板の数を変えることにより、発光させるＬＥＤの数を変えることができる。
【００２２】
基板“ＡＢ”は、チャンネルＡおよびＢを含む基板であり、基板“ＥＦ”は、チャンネルＥおよびＦを含む基板であり、基板“ＧＨ”は、チャンネルＧおよびＨを含む基板である。基板“ＣＤ”は、チャンネルＣおよびＤ、ならびに制御回路を含む基板である。
【００２３】
なお、基板“ＡＢ”、基板“ＥＦ”、および基板“ＧＨ”の回路パターンは、全て同じである。後述する基板“ＩＪ”も、基板“ＡＢ”、基板“ＥＦ”、および基板“ＧＨ”の回路パターンと同じ回路パターンを有している。すなわち、基板“ＡＢ”、基板“ＥＦ”、基板“ＧＨ”、および基板“ＩＪ”は、互換性がある。
【００２４】
図２は、図１の基板を接続することによって製造される、異なるＬＥＤ数、かつ異なる明度の照明装置を示す図である。
【００２５】
図１の製造工程で製造された長細形状の基板を、長手方向に繋げることにより、照明装置は製造される。
【００２６】
例えば図２（１）に示されるように、基板“ＣＤ”の左側に基板“ＡＢ”を接続することで、４つのチャンネル（ＡＢＣＤ）、１２個のＬＥＤを備えた照明装置（２０Ｗ）を製造することができる。
【００２７】
図２（２）に示されるように、基板“ＣＤ”の左側に基板“ＡＢ”を接続し、基板“ＣＤ”の右側に基板“ＥＦ”を接続し、基板“ＥＦ”の右側に基板“ＧＨ”を接続することで、８つのチャンネル（ＡＢＣＤＥＦＧＨ）、２４個のＬＥＤを備えた照明装置（４０Ｗ）を製造することができる。
【００２８】
図２（３）に示されるように、基板“ＣＤ”の左側に基板“ＡＢ”を接続し、基板“ＡＢ”の左側に基板“ＩＪ”を接続し、基板“ＣＤ”の右側に基板“ＥＦ”を接続し、基板“ＥＦ”の右側に基板“ＧＨ”を接続することで、１０個のチャンネル（ＡＢＣＤＥＦＧＨＩＪ）、３０個のＬＥＤを備えた照明装置（６０Ｗ）を製造することができる。なお、基板“ＩＪ”は、図１に示されていないが、基板“ＡＢ”、基板“ＥＦ”、および基板“ＧＨ”のいずれかにより代用することができる（基板“ＡＢ”を用いる場合には、基板“ＩＪ”を基板“ＡＢ’”と表記することもある）。
【００２９】
このような長手方向に基板を接続することを可能とするために、各基板の長手方向の端部まで配線のためのパターンが延在している。
【００３０】
すなわち基板“ＣＤ”には、制御回路と、制御回路から基板の長手方向である双方向に向かうチャンネルのパターンが形成されており、基板“ＣＤ”以外の基板には、その長手方向の端部から端部に向かうチャンネルのパターンが形成されている。隣り合う基板の端部のパターンは、コネクタで接続される。
【００３１】
基板“ＣＤ”および基板“ＣＤ”以外の基板の長手方向同士を連結することにより、基板“ＣＤ”の制御回路を用いて基板“ＣＤ”以外の基板のＬＥＤの発光が制御される。
【００３２】
なお、完成された照明装置は、蛍光管型の照明機器と同様の形状を有することが望ましい。このように蛍光管型の照明装置と同じ形状にすることで、既存の蛍光管型の照明装置のための設備を残したまま、本実施の形態における照明装置を住宅などの施設に取り付けることが可能となる。
【００３３】
図３は、図１の“Ｘ”部分の基板のパターンを示す図である。
【００３４】
図３において、上から順に基板“ＣＤ”、基板“ＡＢ”、基板“ＥＦ”、および基板“ＧＨ”の４つの基板の中心部分の拡大されたパターンが示されている。
【００３５】
基板“ＣＤ”の中央部分には、駆動回路であるＣＰＵを載置する部分のパターン１０１が形成されている。図中のＡ〜Ｊのアルファベットで示されるパターンの部分は、そのアルファベットで示されるチャンネルのパターンであることを意味する。
【００３６】
パターン１０１には、チャンネルＣおよびチャンネルＤを制御するためのパターンが接続されている。チャンネルＣおよびチャンネルＤは、基板“ＣＤ”内のＬＥＤの点灯を制御するためのものである。
【００３７】
パターン１０１には、それぞれチャンネルＨ，Ｆ，Ｇ，Ｅを制御するためのパターンが接続されている。チャンネルＨ，Ｆ，Ｇ，Ｅを制御するためのパターンは、図において右側に伸び、基板“ＣＤ”の右端部まで延在する。これらは、基板“ＣＤ”の右側に接続される基板“ＥＦ”および基板“ＧＨ”内のＬＥＤの点灯を制御するためのものである。
【００３８】
さらにパターン１０１には、それぞれチャンネルＪ，Ｂ，Ｉ，Ａを制御するためのパターンが接続されている。チャンネルＪ，Ｂ，Ｉ，Ａを制御するためのパターンは、図において左側に伸び、基板“ＣＤ”の左端部まで延在する。これらは、基板“ＣＤ”の左側に接続される基板“ＡＢ”および基板“ＩＪ”内のＬＥＤの点灯を制御するためのものである。
【００３９】
基板“ＡＢ”、基板“ＥＦ”、および基板“ＧＨ”の４つの基板のパターンは同じである。但し、基板“ＣＤ”の左側に接続される基板“ＡＢ”（または基板“ＡＢ’”である基板“ＩＪ”）において図面下に左右に走る４本のパターンは、上からそれぞれ、チャンネルＪ，Ｂ，Ｉ，Ａを制御するためのパターンとして機能する。
【００４０】
チャンネルＪ，Ｂ，Ｉ，Ａを制御するためのパターンの任意のパターンと、基板に形成された、ＬＥＤを制御するトランジスタに接続されるパターンとを抵抗器（またはジャンパ線）でブリッジすることにより、そのブリッジされたチャンネルを用いてＬＥＤの点灯制御を行うことが可能となる。
【００４１】
基板“ＣＤ”の右側に接続される基板“ＥＦ”および基板“ＧＨ”において図面下に左右に走る４本のパターンは、上からそれぞれ、チャンネルＨ，Ｆ，Ｇ，Ｅを制御するためのパターンとして機能する。
【００４２】
チャンネルＨ，Ｆ，Ｇ，Ｅを制御するためのパターンの任意のパターンと、基板に形成された、ＬＥＤを制御するトランジスタに接続されるパターンとを抵抗器（またはジャンパ線）でブリッジすることにより、そのブリッジされたチャンネルを用いてＬＥＤの点灯制御を行うことが可能となる。
【００４３】
図４は、図３のパターンにおける、基板“ＣＤ”と基板“ＡＢ”の部品配置を示す図である。
【００４４】
図３上の基板“ＣＤ”のパターン１０１の部分に、図４に示されるように制御回路１０１（ＩＣ）が搭載される。図３の基板“ＣＤ”のチャンネルＣ，Ｄで示される部分に抵抗器１０５が接続され、パターンがブリッジされることにより、パターンに接続されるチャンネルＣおよびＤのＬＥＤが制御される。すなわち、チャンネルＣおよびＤは、チャンネルＣおよびＤのＬＥＤを駆動するためのトランジスタ１０３に接続される。
【００４５】
図３の基板“ＡＢ”のチャンネルＪ，Ｂ，Ｉ，Ａを制御するためのパターンの所定の部分に抵抗器１０９が接続され、パターンがブリッジされることにより、パターンに接続されるチャンネルＡおよびＢのＬＥＤが制御される。すなわち、チャンネルＡおよびＢは、チャンネルＡおよびＢのＬＥＤを駆動するためのトランジスタ１０７に接続される。これは基板“ＩＪ”でも同様である。
【００４６】
また同様に、基板“ＥＦ”、および基板“ＧＨ”においても、チャンネルＨ，Ｆ，Ｇ，Ｅを制御するためのパターンの所定の部分に抵抗器が接続され、パターンがブリッジされることにより、パターンに接続されるチャンネルＨ，Ｆ，Ｇ，ＥのＬＥＤが制御される。
【００４７】
図５は、基板と基板とを接続するコネクタの構成を示す図である。
【００４８】
２つの基板２０１，２０３上のパターンを電気的に接続するために、それぞれの基板２０１，２０３にコネクタ２０５，２０７が半田により接続される。また、コネクタ２０５，２０７同士は、フレキシブル基板２０９が挿入されることにより、互いに対応する電極同士が接続される。
【００４９】
これにより、各基板の対応するチャンネル同士を電気的に接続することが可能となる。すなわち例えば図３の基板“ＣＤ”の左端部のチャンネルＪ，Ｂ，Ｉ，Ａのそれぞれと、基板“ＡＢ”の右端部のチャンネルＪ，Ｂ，Ｉ，Ａのパターンとが電気的に接続される。
【００５０】
図６は、図２の（３）の照明装置の回路図である。
【００５１】
図を参照して、ここではチャンネルＡ〜Ｊの全てにＭＯＳＦＥＴ（トランジスタの一例）が接続され、ＭＯＳＦＥＴのベース電極のオンオフが制御されることで、ＬＥＤの発光が制御される。チャンネルＡ〜Ｊをそれぞれ（Ａ）〜（Ｊ）の記号で示す。
【００５２】
各チャンネルは、制御回路１０１（図中「ＩＣ１」で示す）により制御される。１つのＭＯＳＦＥＴによって、直列に接続された３つのＬＥＤが制御される。
【００５３】
図７は、図６の回路における初期化制御処理を示すフローチャートである。
【００５４】
図を参照して制御回路１０１は、ステップＳ１０１において、設定されたデューティー比を設定する。ここにデューティー比とは、複数のチャンネル（この例ではＡ〜Ｊの１０のチャンネル）のそれぞれに接続されたＬＥＤの点灯が一巡する時間（１周期の時間）Ｔに対する、１つのチャンネルのＬＥＤの点灯時間の比率を意味する。
【００５５】
ここでは１周期は１００ＨＺ、すなわち１周期は１００の単位時間（パルス）で制御されるものとする。１０のチャンネル（ポート）を用いるときには、最大のデューティー比は１０％となるように設定が行われる。なお好ましくは節電のため、デューティー比は１０％未満とすることが望ましい。これは、複数のチャンネル（この例ではＡ〜Ｊの１０のチャンネル）のそれぞれに接続されたＬＥＤの点灯が一巡する時間Ｔを、チャンネルの数Ｎ（Ｎ＝１０）で割った時間を、１つのＬＥＤが点灯する時間よりも長くするものである。
【００５６】
ステップＳ１０３で、各チャンネルが初期化される。これは、各チャンネルのＬＥＤを消灯状態とするものである。
【００５７】
ステップＳ１０５において、割り込み処理を設定する。この例では、１周期の１／１００毎に（ここでは１００μ秒ごとに）割り込みが発生するように設定が行われる。
【００５８】
ステップＳ１０７において、割り込み処理が開始される。
【００５９】
図８は、図６の回路における点灯制御処理を示すフローチャートである。
【００６０】
割り込みを行う１００μ秒ごとに、制御回路１０１は図８のフローチャートを実行する。また、処理の最初にはチャンネル（ポート）Ａがオンとされ、チャンネルＡのＬＥＤが点灯している状態とされる。このとき処理ポート番号は、Ａを示すもの（「０」）となっている。処理ポート番号の０〜９がそれぞれチャンネルＡ〜Ｊに対応する。
【００６１】
図を参照して、ステップＳ２０１において制御回路１０１は、設定されたデューティー値とデューティーカウントとを比較する。デューティー値とデューティーカウントとが異なる値であれば、ステップＳ２０５へ進む。
【００６２】
一方、ステップＳ２０１でデューティー値とデューティーカウントとが同じ値であれば、ステップＳ２０３で、処理ポート番号で示されたポート（チャンネル）をオフにする処理が行われる。これにより、処理ポート番号で示されたチャンネルのＬＥＤがオフとされる。その後、ステップＳ２０５へ進む。
【００６３】
ステップＳ２０５では、デューティーカウントをインクリメントする処理が行われる。
【００６４】
ステップＳ２０７において、デューティーカウントをデューティーカウント最大値と比較する。デューティーカウントがデューティーカウント最大値未満であれば、割り込み処理を終了する。
【００６５】
一方、ステップＳ２０７でデューティーカウントがデューティーカウント最大値以上であれば、ステップＳ２０９で、デューティーカウントをクリアする。その後ステップＳ２１１で処理ポート番号をインクリメントさせる。ステップＳ２１３で、処理ポート番号が１０未満であるかが判定される。
【００６６】
ステップＳ２１３でＹＥＳであれば、ステップＳ２１７で、処理ポート番号で指定されたポート（チャンネル）をオンとする。これにより、処理ポート番号で示されたチャンネルのＬＥＤがオンとされる。そして、割り込み処理を終了する。
【００６７】
ステップＳ２１３でＮＯであれば、ステップＳ２１５で処理ポート番号を「０」とし、ステップＳ２１７へ進む。
【００６８】
図９は、図６の回路のＬＥＤの点灯制御を示すタイミングチャートである。
【００６９】
ここでは、チャンネル（ポート）Ａ〜Ｊの１０のチャンネルがオンにされるタイミングが示されている。各チャンネルの波形中、波形が下に落ち込む部分がそのチャンネルがオンとされる時間を示し、それ以外はオフとされる時間を示す。すなわちチャンネルＡ〜ＪのそれぞれのＬＥＤが点灯する時間は、それぞれａ〜ｊの範囲である。
【００７０】
ここでは、チャンネルＡのＬＥＤの点灯が開始された後、チャンネルＢ、Ｃ、・・・と順にＬＥＤが点灯するように制御が行われる。複数のチャンネルのそれぞれに接続されたＬＥＤの点灯が一巡する時間Ｔは、ここでは１０ｍ秒に設定されている。
【００７１】
また、時間Ｔ内に１つのチャンネルのＬＥＤが連続して点灯する時間ｔは、ここでは１ｍ秒とされている。各チャンネルのデューティー比は、１％から１０％に設定することが可能であるが１０％未満とすることが望ましい。図８のタイマ割り込み処理が実行されるのは、１００μ秒毎である。
【００７２】
［その他］
【００７３】
なお図６〜図９においては、ＬＥＤを駆動するチャンネルの数が１０個の場合を説明したが、１０個以下でもよく、１０個以上でもよい。この場合も、複数のチャンネルのそれぞれに接続されたＬＥＤの点灯が一巡する時間Ｔをチャンネルの数Ｎで割った時間は、１つのＬＥＤが点灯する時間よりも長いものとすることが好ましい。すなわち、１つのＬＥＤが点灯する時間ｔは、ＴをＮで割ったものとしてもよいが、それ未満とすることが好ましい。
【００７４】
［実施の形態における効果］
【００７５】
以上説明した実施の形態によると、複数の基板を繋げることにより、異なるＬＥＤ数（異なる明度）の照明装置を作成することができる。また、デューティー比を制御することで、省エネを図ることができる。すなわち、消費電力が少なく、かつ製造面で有利なＬＥＤを用いた照明装置を提供することが可能となる。
【００７６】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１０１    制御回路（ＣＰＵ、コンピュータ）
１０３，１０７    トランジスタ
１０５，１０９    抵抗器
２０５，２０９    コネクタ
ＡＢ，ＣＤ，ＥＦ，ＧＨ，ＩＪ    基板
Ｄ１，Ｄ２    発光ダイオード（ＬＥＤ）
【図２】
2011054432.tif 000003
【図６】
2011054432.tif 000004
【図７】
2011054432.tif 000005
【図８】
2011054432.tif 000006
【図９】
2011054432.tif 000007
【図１】
2011054432.tif 000008
【図３】
2011054432.tif 000009
【図４】
2011054432.tif 000010
【図５】
2011054432.tif 000011